(57)【要約】【課題】スイッチギヤとは別体のリフターを使用することなく、スイッチギヤ内の電気機器を出し入れできる昇降機能付スイッチギヤを提供することを目的とする。【解決手段】正面に開口部を有するスイッチギヤ（１）の筐体（２）と、開口部の少なくとも一部を開閉可能な縦開きの扉であって、閉じた状態で筐体（２）内に収納され、開いた状態で昇降台を兼ねる昇降台兼用扉（４）と、昇降台兼用扉（４）を開いた状態で昇降させる扉昇降手段（１０）と、を備えることを特徴とする。【選択図】図１
2018125954.tif 000002
【特許請求の範囲】
【請求項１】
正面に開口部を有するスイッチギヤの筐体と、
前記開口部の少なくとも一部を開閉可能な縦開きの扉であって、閉じた状態で前記筐体内に収納され、開いた状態で昇降台を兼ねる昇降台兼用扉と、
前記昇降台兼用扉を開いた状態で昇降させる扉昇降手段と、
を備えることを特徴とする昇降機能付スイッチギヤ。
【請求項２】
前記扉昇降手段は、
前記筐体の側壁内面に上下に渡って設けられたガイドレールと、
前記昇降台兼用扉の回動支点であって、前記昇降台兼用扉を前記ガイドレールに対して回動可能かつ前記ガイドレールに沿って上下動可能に連結する連結部材と、
前記連結部材を前記ガイドレールに沿って昇降させるウインチと、
を備えることを特徴とする請求項１記載の昇降機能付スイッチギヤ。
【請求項３】
前記昇降台兼用扉は、内面に回転自在なターンテーブルを備えること、
を特徴とする請求項１又は２記載の昇降機能付スイッチギヤ。
【発明の詳細な説明】
【技術分野】
【０００１】
この発明は、昇降機能付スイッチギヤに関する。
【背景技術】
【０００２】
従来、特開平４−２４５９４号公報（特許文献１）に開示されるように、スイッチギヤ専用の付属機器であるリフターが知られている。リフターは、スイッチギヤとは別体で構成されている。リフターは、スイッチギヤの筐体内部に格納された遮断器等の電気機器（高圧機器）を出し入れする作業に使用される。
【０００３】
例えば電気機器を取り出す作業では、作業員は、まず盤正面までリフターを移動する。次にリフターの昇降台の高さを電気機器の設置台の高さに合わせ、筐体内部から電気機器を引き出してリフターに載せ替える。その後、リフターごと電気機器を搬出する。
【０００４】
尚、出願人は、本発明に関連するものとして、上記の文献を含めて、以下に記載する文献を認識している。
【先行技術文献】
【特許文献】
【０００５】
【特許文献１】特開平４−２４５９４号公報
【特許文献２】特開平５−３１６６１４号公報
【発明の概要】
【発明が解決しようとする課題】
【０００６】
上記従来のスイッチギヤは、電気機器の出し入れ時において、別体のリフターを配置し操作するために、盤正面に十分に広い作業スペースを確保する必要があった。
【０００７】
本発明は、上述のような課題を解決するためになされたもので、スイッチギヤとは別体のリフターを使用することなく、スイッチギヤ内の電気機器を出し入れできる昇降機能付スイッチギヤを提供することを目的とする。
【課題を解決するための手段】
【０００８】
上記の目的を達成するため、本発明に係る昇降機能付スイッチギヤは以下のように構成される。
【０００９】
スイッチギヤは、筐体、昇降台兼用扉、扉昇降手段を備える。筐体は、内部に電気機器を格納でき、盤正面に開口部を有する。昇降台兼用扉は、開口部の少なくとも一部を開閉可能な縦開きの扉であって、閉じた状態で筐体内に収納され、開いた状態で昇降台を兼ねる。扉昇降手段は、昇降台兼用扉を開いた状態で昇降させる。
【００１０】
本発明の一態様において、扉昇降手段は、ガイドレール、連結部材、ウインチを備える。ガイドレールは、筐体の側壁内面に上下に渡って設けられる。連結部材は、昇降台兼用扉の回動支点であって、昇降台兼用扉をガイドレールに対して回動可能かつガイドレールに沿って上下動可能に連結する。ウインチは、連結部材をガイドレールに沿って昇降させる。
【００１１】
本発明の一態様において、昇降台兼用扉は、内面に回転自在なターンテーブルを備える。
【発明の効果】
【００１２】
本発明に係る昇降機能付スイッチギヤによれば、昇降台兼用扉に昇降機能を設けたことにより、別体のリフターを使用することなく、スイッチギヤ内の電気機器を出し入れすることができる。盤正面での作業にリフターの使用を想定する必要がなくなり、盤正面の作業スペースを縮小できるため保守計画が容易となる。また、昇降台兼用扉は閉じた状態で筐体内に収納されるため、従来のように別体のリフターを保管する場所を確保する必要がない。さらに昇降台兼用扉にターンテーブルを設けることで、盤正面の作業スペースを縮小可能である。
【図面の簡単な説明】
【００１３】
【図１】本発明の実施の形態１に係るスイッチギヤ１の特徴的機能を説明するための図である。
【図２】本発明の実施の形態１に係るスイッチギヤ１の斜視図である。
【図３】図２のＡ−Ａ線断面図である。
【図４】本発明の実施の形態１に係る扉昇降手段１０周辺の正面図である。
【図５】本発明の実施の形態１に係る昇降台兼用扉４が開いた状態における上面図である。
【発明を実施するための形態】
【００１４】
以下、図面を参照して本発明の実施の形態について詳細に説明する。尚、各図において共通する要素には、同一の符号を付して重複する説明を省略する。
【００１５】
実施の形態１．
＜昇降機能付スイッチギヤの特徴的機能＞
まず、図１を参照して、昇降機能付スイッチギヤの特徴的機能について説明する。スイッチギヤ１は、筐体２の内部に遮断器等の電気機器３を格納しており、作業員によって出し入れ作業が行われる。例えば、電気機器３を取り出す手順は次の通りである。
（１）縦開きの昇降台兼用扉４を手前に倒し、開いた状態にする。
（２）電気機器３を昇降台兼用扉４の内面（上面）まで引き出す。
（３）昇降台兼用扉４を地面まで下降させる。
（４）ターンテーブル５を９０°回転させて電気機器３を引き出す。
このように、本発明の実施の形態１に係るスイッチギヤ１は、別体のリフターを使用することなく、出し入れ作業が可能である。
【００１６】
＜昇降機能付スイッチギヤの特徴的構成＞
上記特徴的機能を実現するための具体的な構成例について図２〜図５を参照しつつ説明する。
【００１７】
図２は、本発明の実施の形態１に係るスイッチギヤ１の斜視図である。図３は、図２のＡ−Ａ線断面図である。図２に示すように、スイッチギヤの筐体２は、盤正面に開口部を有する。筐体２には、筐体２の開口部全体を開閉可能な外扉６が取り付けられている。
【００１８】
図２には閉じた状態の昇降台兼用扉４が描かれ、図３には開いた状態の昇降台兼用扉４が描かれている。昇降台兼用扉４は、開口部の少なくとも一部を開閉可能な縦開きの内扉であって、閉じた状態で筐体２内に収納され、開いた状態で昇降台を兼ねる。
【００１９】
図３および図４を参照して昇降台兼用扉４を開閉するための構成および昇降させるための構成要素について説明する。図４は、昇降台兼用扉４を開いた状態で昇降させる扉昇降手段１０周辺の正面図である。なお、図３に描かれたスイッチギヤ１は、電気機器３を設置する設置台１１により２段になっているが、３段以上であってもよい。
【００２０】
ガイドレール１２は、筐体２の開口部付近の側壁内面に上下に渡って設けられる。
【００２１】
支持部材１３は、ガイドレール１２と平行に配置される。支持部材１３は、上端部に凸設した固定ピン１４を備える。固定ピン１４は、その先端部がガイドレール１２に係合し、ガイドレール１２に沿って上下動可能に取り付けられている。また、支持部材１３の下端部には貫通孔が形成されている。貫通孔には連結部材１５が挿入されており回動可能に連結している。
【００２２】
連結部材１５は、昇降台兼用扉４の側面に凸設された部材であり、昇降台兼用扉４に固定されている。連結部材１５は、支持部材１３の下端部に形成された貫通孔を貫通して、その先端部がガイドレール１２に係合している。連結部材１５は、昇降台兼用扉４の回動支点であって、昇降台兼用扉４をガイドレール１２に対して回動可能かつガイドレール１２に沿って上下動可能に連結する。図４に示す例では、固定ピン１４および連結部材１５は、ガイドレール１２の溝に嵌まることで、ガイドレール１２と係合している。
【００２３】
扉支持ロープ１６の一端は支持部材１３の上端部に固定され、他端は昇降台兼用扉４に固定されている。扉支持ロープ１６の長さは、縦開きの扉である昇降台兼用扉４の開度を９０°で固定できるように調節されている。
【００２４】
扉昇降ロープ１７の一端は、ガイドレール１２の上部、例えば筐体２内側の天井面や側面に固定されている。扉昇降ロープ１７は、支持部材１３の固定ピン１４、連結部材１５に掛けられ、さらに、ウインチ１８の巻取ドラム１９に巻き掛けられている。扉昇降ロープ１７の他端は、巻取ドラム１９に固定されている。
【００２５】
ウインチ１８は、昇降台兼用扉４に取り付けられている。ウインチ１８は、巻取ドラム１９を回転させて巻き掛けられた扉昇降ロープ１７の巻き取り／送り出しによって、連結部材１５をガイドレール１２に沿って昇降させる。ウインチ１８は、手動のハンドルや電動機によって駆動する。
【００２６】
以上説明した、ガイドレール１２、連結部材１５、扉支持ロープ１６により昇降台兼用扉４を開閉するための構成が実現される。また、上記ガイドレール１２、連結部材１５に加えて、支持部材１３、扉昇降ロープ１７、ウインチ１８により昇降台兼用扉４を昇降させるための構成が実現される。
【００２７】
図５は、昇降台兼用扉４が開いた状態における上面図である。昇降台兼用扉４は、内面（上面）に回転自在なターンテーブル５を備える。また、ターンテーブル５および設置台１１には、電気機器３の車輪を案内する案内溝２０が設けられている。作業員は、昇降台兼用扉４の高さを設置台１１の高さに揃えた状態で、案内溝２０に沿って電気機器３を移動させることができる。また、昇降台兼用扉４を地面まで下げ、昇降台兼用扉４の側壁を外側に倒して、ターンテーブル５を９０°回転させた状態において、電気機器３を出し入れすることができる。
【００２８】
＜効果＞
以上説明したように、本発明の実施の形態１に係る昇降機能付スイッチギヤによれば、昇降台兼用扉４は、縦開きの内扉として機能すると共に、開いた状態において昇降台としても機能する。そのため、別体のリフターを使用することなく、スイッチギヤ１内の電気機器３を出し入れすることができる。盤正面での作業にリフターの使用を想定する必要がなくなり、盤正面の作業スペースを縮小できるため保守計画が容易となる。さらに、昇降台兼用扉４にターンテーブル５を設けることで、扉の側方から電気機器３を出し入れできるため、盤正面の作業スペースを縮小可能である。
【００２９】
＜変形例＞
ところで、上述した実施の形態１の昇降機能付スイッチギヤにおいては、昇降台兼用扉４の内面にターンテーブル５を配置することとしているが、ターンテーブル５を有さない構成であってもよい。
【符号の説明】
【００３０】
１  スイッチギヤ
２  筐体
３  電気機器
４  昇降台兼用扉
５  ターンテーブル
６  外扉
１０  扉昇降手段
１１  設置台
１２  ガイドレール
１３  支持部材
１４  固定ピン
１５  連結部材
１６  扉支持ロープ
１７  扉昇降ロープ
１８  ウインチ
１９  巻取ドラム
２０  案内溝
【図１】
2018125954.tif 000003
【図２】
2018125954.tif 000004
【図３】
2018125954.tif 000005
【図４】
2018125954.tif 000006
【図５】
2018125954.tif 000007